(57)【要約】  【目的】  装飾物を縫いつける刺繍縫い方法及び装置を提供する。  【構成】  刺繍枠をＸ−Ｙ方向に移動させて、針により縫いを実行して刺繍縫いを行わせる刺繍縫い装置を備えたミシンであって、針位置を境として、縫い進行方向の一方向側から針に対して装飾物を供給するための手段と、供給方向が縫い進行方向の反対側となる縫いで毛糸Ｋを針１のα側から導いて、毛糸Ｋの裏側Ｂのみを布Ｎに縫いつけるように装飾物を保持するための手段、を備えたこと。  【効果】  発明の刺繍縫い方法及び装置によれば、装飾物を裏面側においてのみ縫いつけることが可能であるから、装飾物の特性を失うことなく刺繍縫いを行える効果がある。【選択図】  図３
2006158981.tif 000002
【特許請求の範囲】
【請求項１】
刺繍枠に刺繍対象物である布を取り付け、この刺繍枠をＸ−Ｙ方向に移動させて、針により縫いを実行して刺繍縫いを行わせる刺繍縫い装置を備えたミシンであって、前記刺繍縫い装置は、前記針位置を境として、縫い進行方向の一方向側から針に対して装飾物を供給するための手段と、該供給方向が縫い進行方向の反対側となる縫いでは、前記装飾物の被刺繍対象物と接触する裏面側部分を前記被刺繍対象物と縫い合わせ、縫い進行方向を逆転させることによる装飾物の供給方向に縫い進行方向が一致する縫いでは、前記装飾物の表面から裏面に針を貫通させて前記装飾物を前記被刺繍対象物と縫い合わせ縫いを行わせるように前記装飾物を保持するための手段、を備えたことを特徴とする刺繍縫い装置を備えたミシン。
【発明の詳細な説明】
【技術分野】
【０００１】
この発明は刺繍縫い装置を備えたミシンに関する。
【背景技術】
【０００２】
刺繍対象物である布と縫いを実行する針とを相対的にＸ−Ｙ方向に移動させて刺繍縫いを行う装置が従来より知られている。また、このような刺繍縫い装置を備えた家庭用のミシンも近年広く一般に用いられている。
このような刺繍縫い装置において、毛糸やリボンなどの装飾物を縫いつけることも行われており、このような装飾物縫い、所謂装飾ステッチを可能とした刺繍縫い装置も本願出願人等により既に提案されている。
【発明の開示】
【発明が解決しようとする課題】
【０００３】
しかし毛糸等のボリュームのある装飾物の場合、通常の縫い目により上から糸で縫いつけると、縫い糸により毛糸等の装飾物が押さえられ、意図したボリューム感がでない問題があった。
本発明は上記従来技術の欠点を改善することを目的とする。
【課題を解決するための手段】
【０００４】
上記目的を達成するために本発明の刺繍縫い装置を備えたミシンは、
刺繍枠に刺繍対象物である布を取り付け、この刺繍枠をＸ−Ｙ方向に移動させて、針により縫いを実行して刺繍縫いを行わせる刺繍縫い装置を備えたミシンであって、前記刺繍縫い装置は、前記針位置を境として、縫い進行方向の一方向側から針に対して装飾物を供給するための手段と、該供給方向が縫い進行方向の反対側となる縫いでは、前記装飾物の被刺繍対象物と接触する裏面側部分を前記被刺繍対象物と縫い合わせ、縫い進行方向を逆転させることによる装飾物の供給方向に縫い進行方向が一致する縫いでは、前記装飾物の表面から裏面に針を貫通させて前記装飾物を前記被刺繍対象物と縫い合わせ縫いを行わせるように前記装飾物を保持するための手段、を備えたことを特徴とする刺繍縫い装置を備えたミシン、とすることで課題を解決した。
【発明の効果】
【０００５】
本発明の刺繍縫い装置を備えたミシンは、装飾物を裏面側においてのみ縫いつけることが可能であるから、装飾物の特性を失うことなく刺繍縫いを行える効果がある。
刺繍枠に装着された布ＮはＸ−Ｙ方向任意に移動可能であるから、布の進行方向又は縫い進行方向によって、従来の装飾ステッチとを交互に組み合わせることにより、１列おきに毛糸のボリューム感を生かした縫いが行われるから、全体として従来の縫い方に比較して格段のボリューム感を出すことが可能になる。また、装飾物を表側から縫いつける通常の縫いが行える。
【発明を実施するための最良の形態】
【０００６】
刺繍枠に刺繍対象物である布を取り付け、この刺繍枠をＸ−Ｙ方向に移動させて、針により縫いを実行して刺繍縫いを行わせる刺繍縫い装置を備えたミシンを備えており、その刺繍縫い装置は、前記針位置を境として、縫い進行方向の一方向側から針に対して装飾物を供給するための手段として構成されている。  このため、刺繍枠をＸ−Ｙ方向に移動させることにより、供給方向が縫い進行方向の反対側となる縫いでは、前記装飾物の被刺繍対象物と接触する裏面側部分を前記被刺繍対象物と縫い合わせることになり
刺繍枠をＸ−Ｙ方向に移動させることにより、装飾物の供給方向に縫い進行方向が一致する縫いでは、装飾物の表面から裏面に針を貫通させて前記装飾物を前記被刺繍対象物と縫い合わせ縫いを行わせるようにする。
これにより、布の進行方向又は縫い進行方向によって、従来の装飾ステッチとを交互に組み合わせることにより、１列おきに毛糸のボリューム感を生かした縫いが行われる。
【実施例】
【０００７】
以下本発明の実施の形態を図面に基づいて説明する。
図１は刺繍縫い可能なミシン本体Ａを示す斜視図であり、刺繍枠２に刺繍対象物である布を取り付け、この刺繍枠２をＸ−Ｙ方向に移動させて、針１により縫いを実行して刺繍縫いを行うようになっている。
この実施形態では装飾物として毛糸Ｋを用いており、この毛糸Ｋを毛糸係止具６を通して、針１位置に導いて、毛糸Ｋを布に縫いつけることができるようになっている。
【０００８】
図２に針１近傍の構成を拡大して示す。毛糸係止具６から導かれた毛糸Ｋは毛糸通し５により針１の位置よりα側に導かれるようになっている。そして、いま布Ｎがα方向に移動し、縫いがβ方向に進行することにより、本発明に係る刺繍縫いが実行されるようになっている。
【０００９】
図３は図２におけるIII線矢視図であり、毛糸Ｋはα側から毛糸保持具４に導かれ、毛糸保持孔１０を通過し、既に縫われた方向、α側に屈曲した状態となる。ここで、毛糸Ｋの裏側Ｂが図面上左側、即ち針１側に位置し、毛糸Ｋの表側Ｓが右側、即ち針１と反対側に位置する。裏側Ｂとは毛糸Ｋを布Ｎ上に縫いつけたときに、布Ｎ側に面する側である。表側Ｓは反対に表面側に面する側である。３はベッドである。
【００１０】
この毛糸保持孔１０において、針１が降りてくると、毛糸Ｋの裏側Ｂのみに針１が貫通し、裏側Ｂのみが縫われて布Ｎに縫いつけられる。
従って、毛糸Ｋの表側Ｓには縫い糸１１は現われず、毛糸Ｋの裏側Ｂのみが縫われて布Ｎに縫いつけられた状態となる。
図から明らかなように縫い糸１１は毛糸Ｋを貫通していないから、毛糸Ｋを上から押さえつけて縫う状態にはならず、毛糸Ｋの膨らみとボリューム感がそのまま維持される。
【００１１】
刺繍枠２に装着された布ＮはＸ−Ｙ方向任意に移動可能であるから、布Ｎの移動方向又は縫い進行方向によっては、上記縫いが実行される場合とされない場合が生ずる。
図４はその範囲を示すもので、針位置を通り、縫い進行方向と直交する境界線を引くと、この境界線より縫い進行方向反対側、即ちα側から毛糸Ｋが導かれれば、上記縫いが実現できる。一方、縫い進行方向側、即ちβ側から毛糸Ｋが導かれると、通常の装飾ステッチになる。
図５に通常の装飾ステッチの場合の状態を示す。図から明らかなように、毛糸Ｋは針１のβ側、即ち縫い進行方向側から導かれ、図６に示すように縫い糸１１が毛糸Ｋの表側Ｓから裏側Ｂ側へ貫通して毛糸Ｋを押さえつけて布Ｎに縫いつけるようになる。この場合毛糸Ｋのボリューム感は縫い糸１１に拘束されて減少する。
【００１２】
実際の刺繍縫いの場合には、一方向だけの縫い進行方向を維持することはできないから、図２に示す本発明に係る縫いと図５に示す従来の装飾ステッチとを交互に組み合わせることにより、１列おきに毛糸Ｋのボリューム感を生かした縫いが行われるから、全体として従来の縫い方に比較して格段のボリューム感を出すことが可能になる。
【００１３】
なお、上記では毛糸Ｋの場合について説明したが、装飾物に縫い糸１１を上から貫通させて押さえつけて縫うことがないから、一般的に装飾物の特性を失わずに刺繍縫いが可能である。
【図面の簡単な説明】
【００１４】
【図１】本発明を刺繍縫い可能なミシンに適用した一実施形態を示す斜視図。
【図２】本発明の一実施形態の針機構部分の拡大図。
【図３】本発明の刺繍方法の一実施形態を示す拡大断面図。
【図４】本発明の刺繍方法における装飾物の導入方向の説明図。
【図５】通常の装飾ステッチの説明図。
【図６】通常の装飾ステッチを説明する拡大断面図。
【符号の説明】
【００１５】
１：針、２：刺繍枠、３：ベッド、４：毛糸保持具、５：毛糸通し、６：毛糸係止具、１０：毛糸保持孔、１１：縫い糸。
【図１】
2006158981.tif 000003
【図２】
2006158981.tif 000004
【図３】
2006158981.tif 000005
【図４】
2006158981.tif 000006
【図５】
2006158981.tif 000007
【図６】
2006158981.tif 000008